(57)【要約】  モバイル装置の位置検知を使用してモバイル・コンピューティング装置に連絡先情報を入力する方法を提供する。モバイル・コンピューティング装置における設定メニュー又はモードを介した自動詰め込みモードの入力により（１２）、装置の位置が判定される（１４）。装置の位置が判定されると、ユーザには、モバイル装置の位置座標に基づいて、１つ又は複数の候補連絡先が提供される（２４）。ユーザは、リストから選択し、選択された連絡先を保存することが可能であるか、又は、いくつかの選択肢のうちの何れか１つを要求することができる。例えば、ユーザは、連絡先を選択し、当初保存された後、編集する旨を要求することができる（３４）。ユーザは、リストからの連絡先のうちの１つを選択しないことにし、システムによる更なる試行を要求することができる。更に、システムはユーザに連絡先候補を何ら提供しないことがあり得る。その場合、ユーザは、連絡先を手作業で入力する（４０、４２）か、又は自動詰め込みモ―ドを終了することが可能である。
2010532132.tif 000002
【特許請求の範囲】
【請求項１】
モバイル・コンピューティング装置に連絡先情報を入力する方法であって、
モバイル装置の動作の自動詰め込みモードを選択する工程と、
前記モバイル装置の位置を判定する工程と、
前記モバイル装置の位置を、前記装置の位置に対応するデータベースからの少なくとも１つの連絡先に関する情報と照合するために、前記位置の情報をデータベースに送信する工程と、
前記モバイル装置に対する少なくとも１つの連絡先候補に関する前記情報を受信する工程と、
前記モバイル装置において受信される前記少なくとも１つの連絡先候補に関する前記情報に応じてユーザ動作を要求する工程と
を含む方法。
【請求項２】
請求項１記載の方法であって、前記モバイル装置の位置を判定する工程は、タワーを利用した三角測量の手法を使用して前記モバイル装置の位置を得る工程と、現在位置の情報に対する要求を前記モバイル装置からネットワーク・プロバイダに送出する工程とを含む方法。
【請求項３】
請求項１記載の方法であって、前記モバイル装置の位置を判定する工程は、内蔵ＧＰＳ受信器を利用する工程を含む方法。
【請求項４】
請求項１記載の方法であって、前記要求する工程は更に、
前記モバイル装置の前記判定された位置について複数の連絡先候補が存在しているか否かを判定する工程と、
２つ以上の連絡先候補が存在している場合に、複数の連絡先候補のリストをユーザに向けて表示する工程と、
前記複数の連絡先候補のうちの１つを選択するか、又は前記複数の連絡先候補のうちのいずれも選択しない旨のユーザ入力を要求する工程と
を含む方法。
【請求項５】
請求項１記載の方法であって、前記要求する工程は更に、
前記モバイル装置の前記判定された位置について複数の連絡先候補が存在しているか否かを判定する工程と、
判定された連絡先候補が複数存在していない場合、表示された連絡先を保存する旨のユーザ入力を要求する工程と
を含む方法。
【請求項６】
請求項４記載の方法であって、前記要求する工程は更に、
前記複数の連絡先候補のうちの１つをユーザが保存したいか否かを要求する工程と、
ユーザの選択に応じて、選択された連絡先をメモリに保存する工程とを含む方法。
【請求項７】
請求項６記載の方法であって、
前記保存する工程が行われた後、前記選択された連絡先についての編集オプションをユーザに提供する工程を更に含む方法。
【請求項８】
請求項４記載の方法であって、
前記複数の連絡先候補のうちの１つをユーザが保存したいか否かを要求する工程と、
前記複数の連絡先候補の表示されたリストの何れも必要でないとユーザが決定した場合、終了したいか、再試行したいか、又は手作業したいかを要求する工程とを含む方法。
【請求項９】
請求項８記載の方法であって、「再試行」をユーザが要求した場合、前記位置判定のサンプリング領域を拡大する工程を更に含む方法。
【請求項１０】
請求項３記載の方法であって、前記位置を判定する工程は更に、
前記内蔵ＧＰＳ受信器からＧＰＳ座標を得る工程と、
前記得られた座標について連絡先情報が格納されているか否かを判定する工程と、
前記得られた座標について連絡先情報が格納されていない場合に前記ＧＰＳ座標をネットワーク・プロバイダに送出する工程とを含む方法。
【請求項１１】
請求項３記載の方法であって、前記位置を判定する工程は更に、
前記内蔵ＧＰＳ受信器からＧＰＳ座標を得る工程と、
前記得られた座標について連絡先情報が格納されているか否かを判定する工程と、
前記得られた座標について格納された連絡先情報が存在している場合、ユーザに通知する工程と、
前記格納された連絡先情報に関係なくユーザは進むことを選択する場合、前記ＧＰＳ座標をネットワーク・プロバイダに送出する工程とを含む方法。
【請求項１２】
請求項１記載の方法であって、
前記連絡先情報を第２のデータベースにサーチ・クエリとして送出する工程と、
前記サーチ・クエリの結果として、前記第２のデータベースから、前記連絡先情報に対する補足として更なる情報を受け取る工程とを含む方法。
【請求項１３】
アプリケーション・プログラムを有形に実施させたプログラム記憶装置であって、前記アプリケーション・プログラムは、少なくとも
モバイル装置の動作の自動詰め込みモードを選択する機能と、
前記モバイル装置の位置を判定する機能と、
前記モバイル装置の位置を、前記装置の位置に対応するデータベースからの少なくとも１つの連絡先に関する情報と照合するために、前記位置の情報をデータベースに送信する機能と、
前記モバイル装置に対する少なくとも１つの連絡先候補に関する情報を受け取る機能と、
前記モバイル装置において受け取られた前記少なくとも１つの連絡先候補に関する情報に応じてユーザ動作を要求する機能と
を行うための命令を含むプログラム記憶装置。
【請求項１４】
請求項１３記載のプログラム記憶装置であって、前記アプリケーション・プログラムは、少なくとも
前記モバイル装置の前記判定された位置について複数の連絡先候補が存在しているか否かを判定する機能と、
２つ以上の連絡先候補が存在している場合に、複数の連絡先候補のリストをユーザに向けて表示する機能と、
前記複数の連絡先候補のうちの１つを選択するか、又は前記複数の連絡先候補のうちのいずれも選択しない旨のユーザ入力を要求する機能と
を行うための命令を更に含むプログラム記憶装置。
【請求項１５】
請求項１３記載のプログラム記憶装置であって、前記アプリケーション・プログラムは、少なくとも
前記モバイル装置の前記判定された位置について複数の連絡先候補が存在しているか否かを判定する機能と、
判定された連絡先候補が複数存在していない場合、表示された連絡先を保存する旨のユーザ入力を要求する機能と
を行うための命令を更に含むプログラム記憶装置。
【請求項１６】
請求項１４記載のプログラム記憶装置であって、前記アプリケーション・プログラムは、少なくとも
前記複数の連絡先候補のうちの１つをユーザが保存したいか否かを要求する機能と、
ユーザの選択に応じて、選択された連絡先をメモリに保存する機能と
を行うための命令を更に含むプログラム記憶装置。
【請求項１７】
請求項１４記載のプログラム記憶装置であって、前記アプリケーション・プログラムは、少なくとも
前記複数の連絡先候補のうちの１つをユーザが保存したいか否かを要求する機能と、
前記複数の連絡先候補の表示されたリストの何れも必要でないとユーザが決定した場合、終了したいか、再試行したいか、又は手作業したいかを要求する機能と
を行うための命令を更に含むプログラム記憶装置。
【請求項１８】
請求項１３記載のプログラム記憶装置であって、前記アプリケーション・プログラムは、少なくとも
前記モバイル装置に内蔵されたＧＰＳ受信器からＧＰＳ座標を得る機能と、
前記得られた座標について連絡先情報が格納されているか否かを判定する機能と、
前記得られた座標について連絡先情報が格納されていない場合に前記ＧＰＳ座標をネットワーク・プロバイダに送出する機能と
を行うための命令を更に含むプログラム記憶装置。
【請求項１９】
請求項１３記載のプログラム記憶装置であって、前記アプリケーション・プログラムは、少なくとも
前記モバイル装置に内蔵されたＧＰＳ受信器からＧＰＳ座標を得る機能と、
前記得られた座標について連絡先情報が格納されているか否かを判定する機能と、
前記得られた座標について格納された連絡先情報が存在している場合、ユーザに通知する機能と、
前記格納された連絡先情報に関係なくユーザは進むことを選択する場合、前記ＧＰＳ座標をネットワーク・プロバイダに送出する機能と
を行うための命令を更に含むプログラム記憶装置。
【発明の詳細な説明】
【技術分野】
【０００１】
本発明は、移動体通信装置に関する。特に、本発明は、移動体通信装置の連絡先情報の自動入力に関する。
【背景技術】
【０００２】
モバイル装置を使用する場合、友人、家族、及び仕事関係の情報をその装置に入力することは、退屈で長たらしく、時間がかかることがあり得る。例えば、「携帯電話機入力方法」を使用する場合、ユーザは、文字「Ｓ」が現れるようにするだけで「７」のキーを４度、押さなければならないことがあり得る。携帯情報端末（ＰＤＡ）の場合、スタイラスで、一度に一文字を画面においてつつく。
【０００３】
ユーザ連絡先リストを手作業で入力するための他の方法も利用可能であり、ユーザ連絡先リストを手作業で入力するための他の方法は、通常、ユーザにより、１つ又は別の形式で（例えば、タイプ入力、手書き、モバイル装置上のテキスト・メッセージ・キーの使用等により、）データを直接入力することが必要である。これは、入力手段の寸法が理由で困難であるか、又は時間がかかることがあり得る。
【発明の概要】
【発明が解決しようとする課題】
【０００４】
したがって、本願の原理の一局面により、モバイル装置（例えば、携帯電話機やＰＤＡなど）に、電話番号及び住所／アドレスの連絡先情報を自動入力するための方法が提供される。
【課題を解決するための手段】
【０００５】
前述及び他の局面は、本願の原理の実現形態によって実現される。連絡先情報をモバイル・コンピューティング装置に入力する方法は、モバイル装置の自動詰め込みモードを選択する工程と、モバイル装置の位置を判定する工程と、モバイル装置の位置を、装置の位置に対応するデータベースからの少なくとも１つの連絡先に関する情報と照合する工程と、少なくとも１つの連絡先候補に関する情報をモバイル装置に送出する工程と、モバイル装置において受信される少なくとも１つの連絡先候補に関する情報に応じてユーザ動作を要求する工程とを含む。
【０００６】
ユーザ動作を要求する工程は、例えば、モバイル装置の判定された位置に対して複数の連絡先候補が存在しているか否かを判定する工程と、２つ以上の連絡先候補が存在している場合に、複数の連絡先候補のリストをユーザに向けて表示する工程と、複数の連絡先候補のうちの１つを選択するか、又は複数の連絡先のうちのいずれも選択しない旨のユーザ入力を要求する工程とを含む。
【０００７】
モバイル装置の位置を判定するために、種々の手法を実現することが可能である。例えば、モバイル装置の位置は、タワーを利用した三角測量の手法を使用して得ることが可能であるか、又は、あるいは、モバイル装置に内蔵されたＧＰＳ受信器を利用して得ることが可能である。
【０００８】
モバイル装置のＧＰＳを使用する場合、位置判定は、内蔵ＧＰＳ受信器からＧＰＳ座標を得る工程と、得られた座標について連絡先情報が格納されているか否かを判定する工程と、得られた座標について連絡先情報が格納されていない場合に、ＧＰＳ座標をネットワーク・プロバイダに送出する工程とを含む。
【０００９】
得られた座標について連絡先情報が格納されている場合、ユーザは相応に通知され、格納された連絡先情報に関係なく進みたい旨をユーザが選択した場合、ＧＰＳ座標がネットワーク・プロバイダに送出される。
【００１０】
本願の原理の他の局面及び特徴は、以下の詳細な説明を添付図面とともに考察することにより、明らかになるであろう。しかし、添付図面は、本願の原理の限度（特許請求の範囲を参照されたい）を画定するものでなく、単に例証の目的で描いている。更に、添付図面は、必ずしも縮尺通りに描いておらず、別途明記しない限り、本明細書及び特許請求の範囲記載の構造及び手順を概念的に例証することを意図しているに過ぎない。
【００１１】
添付図面では、同じ参照符号は、図を通して同じ構成部分を表す。
【図面の簡単な説明】
【００１２】
【図１】本願の原理の実現形態による、自動連絡先情報入力の方法を示すフロー図である。
【図２】本願の原理の別の実現形態による、自動連絡先情報入力の方法を示すフロー図である。
【図３】本願の原理の実現形態による、モバイル・コンピューティング装置を示すブロック図である。
【発明を実施するための形態】
【００１３】
携帯電話機又は他のモバイル・コンピューティング装置がその位置を携帯電話タワーの三角測量によって検知する機能を有することは一般的な特徴である。これは、最低限、９１１緊急サービスにあてはまるが、近接地域における事業に関する情報のプル又はプッシュのような、より拡充されたサービスにもあてはまる。更に高度な携帯電話機及びモバイル・コンピューティング装置は、内蔵又は一体化された全地球測位システム（ＧＰＳ）受信器を有している。
【００１４】
本願の一実現形態によれば、ユーザは、好みの個人又は事業の連絡先（例えば、連絡先の名前／名称、電話番号及び／又は住所／アドレス）を難儀してタイプ入力する代わりに、自分の個人用のモバイル装置の連絡先機能に進み、「位置毎の自動詰め込み連絡先情報」を選択することが可能である。これに応じて、モバイル装置はその現在の位置を（例えば、ＧＰＳ受信器内蔵、携帯電話タワーを利用した三角測量、又は何れかの他の位置検知手法によって）検出する。モバイル装置の位置情報（例えば、座標）はネットワーク・プロバイダに送出され、ネットワーク・プロバイダは、ユーザの位置において識別された１つ又は複数の連絡先と、位置座標とを関係付ける。連絡先情報は、特定の名前／名称、電話番号、及び／又は完全な住所／アドレスを含み得る。これらは次いで、ユーザのモバイル装置に送出される。
【００１５】
同じ位置について複数のエントリ（例えば、「Ｊｉｍ  Ｓｍｉｔｈ，  １０２  Ｍａｉｎ  Ｓｔ．  ３１７−８８８−２２２２等」、「Ｊａｎｅ  Ｒｙａｎ，  １０３  Ｍａｉｎ  Ｓｔ．等」、「Ｂｏｂ  Ｔｉｐｐ，  １０８  Ｍａｉｎ  Ｓｔ等」が存在する場合、それぞれがユーザに向けて提示され、それにより、ユーザは、リストから「適切な」リストを選択することができ、これは次いでユーザのモバイル装置に格納される。選択されなかった選択肢があれば、その選択肢は廃棄される。
【００１６】
ユーザに向けた、複数のエントリの表示は、別々の多くの形式をとり得る。例えば、ユーザには、名前／名称、住所／アドレス、及び／若しくは電話番号、又はそれらの何れかの組合せが提示され得る。一旦格納されると、ユーザは、必要に応じて、格納された連絡先情報を編集することが可能である。
【実施例】
【００１７】
図１は、本願の原理の局面によるフロー図１０を示す。当初、ユーザは、そのモバイル装置上の「位置毎連絡先の自動詰め込み」と呼ばれるオプションを選択する（１２）。このオプションは、他の名で呼んでもよく、通常、モバイル装置の設定メニューに含まれ、又は、場合によっては、オプションとしての連絡先メニューに含まれる。「自動詰め込み」オプションが一旦起動されると、モバイル装置はその位置を判定する（１４）。この実施例では、位置判定１４は、現在位置に対する要求をモバイル装置がネットワーク・プロバイダに送出し（１６）、ネットワーク・プロバイダが、携帯電話のタワーを利用した三角測量を使用して位置を得る（１８）ことによって行われる。ネットワーク・プロバイダは次いで、位置座標を、データベースからの情報、電話番号、及び／又は名前・名称と照合する（２０）。一致した場合、ネットワーク・プロバイダはモバイル装置に連絡先情報を送出する（２２）。
【００１８】
本発明の実施においては、データベース２０は、名前・名称、住所・アドレス、及びユーザについての情報を識別する他の情報にＧＰＳ情報をマッピングする情報を含む、ネットワーク（インターネットなど）を介して利用可能なリレーショナル・データベースであり得る。本発明の任意的な実施例では、データベース２０は、第２の情報供給者よりも、第１の情報供給者によって供給されるデータベースを選ぶことができるように、ユーザによって予め選択することができる。更に、名前・名称、及び住所・アドレスの情報が第１のデータベース２０から返されると、前述の情報（又は他のタイプの個人情報）がサーチ・クエリとして第２のデータベース２０に送出されることをユーザは規定することができる。そのようにして、ユーザは、名前・名称、住所・アドレス、及び電話情報以外の補助情報（個人が保持していることがあり得る個人ウェブ・ページ又は電子ログ、職業についての情報、配偶者及び子供についての情報等など）を得ることが可能である。
【００１９】
この概念は、ＧＰＳ情報によって識別された関係者が、購入したいことがあり得る品目と異なる品目を有するか否かを確かめる旨のサーチを特定のベンダに向けて送信することができるように拡張することが可能である。例えば、個人の識別情報が見つかると、識別された関係者が、自分のために購入したい物が、希望事項リスト上又はレジストリ上（好みの贈り物の登録リスト上）などに載っているか否かについて問い合わせる旨のサーチ・クエリがデータベース２０に送信される。モバイル装置を操作している個人は次いで、ネットワーク接続を介して第３者から前述の品目について知り、かつ／又は、前述の品目を購入するようにしてもよい。本願の例では、サーチ・クエリは、（ユーザ駆動コマンドにより、）自動的にアマゾンに送信され、そこで、ユーザはその種々の希望事項リスト品目を列挙することが可能である。モバイル装置を操作しているユーザは次いで、アマゾンを介して利用可能なサービスを使用して、識別された関係者のための品目を購入することが可能である。
【００２０】
位置に基づいてユーザに連絡先情報を提供する場合、２つ以上の連絡先候補が位置情報から得られることが考えられる。そういうものとして、ネットワーク・プロバイダがモバイル装置に連絡先情報を送出する場合、当該座標について検知される候補が複数存在することがあり得る（２４）。当該座標について複数の候補が存在する場合、候補のリスト（ポップ・アップ・ウィンドウなどのインタフェース手段の使用、及び他の視覚表示）がユーザに向けて表示され（２６）、ユーザは、工程２８で、所望のエントリを選択するか、又は「何れも選択しない」を選択する。検知された座標に対する候補が複数存在しないか、又はユーザが選択を行う場合（工程２８）、この連絡先情報３０を保存する旨の決定がユーザに向けて提示される（３０）。ユーザが「はい」を選択した場合、連絡先情報はメモリ３２に保存される。この段階で、更なるユーザ入力なしで処理が終了し得る。
【００２１】
本願の原理の一実現形態では、メモリに保存する旨の命令（３２）が実行されると、連絡先情報を編集する旨のオプションがユーザに提示され得る（３４）。連絡先を編集する旨をユーザが選択しない場合、処理は終了する（４４）。連絡先を編集する旨をユーザが選択することにした場合、編集が可能にされ（３６）、編集された情報がメモリ（３８）に保存され、処理は終了する。
工程３０で、連絡先情報を保存する旨をユーザが選択しない場合、ユーザには３つのオプションが提示される（４０）。ユーザは、「再試行」を選択し得る。この場合、工程１４で処理及び位置判定を最初からやり直す。
【００２２】
一実現形態によれば、ユーザが「再試行」を選択する時点は、意図された住所／アドレスにユーザが近付いた後であり得る。更に別の実現形態では、ユーザが、工程４０として「再試行」を選択した場合、システムは、位置判定１４に使用されるサンプリング領域を拡大することが可能である（４１）。サンプリング領域を拡大することにより、より広い領域の物理的なアドレス／住所（すなわち、位置）が、「適切な」アドレス／住所を捕捉しようとしてサンプリングされる。期待されるように、先行して提示され、ユーザが拒否した位置は、その後の「再試行」の試行では提供されない。
【００２３】
ユーザは「手作業入力」を選択することができ、その場合、モバイル装置は手作業入力モード４２に入り、ユーザは、連絡先情報の手作業入力に進む。ユーザにとっての最後のオプションは、「終了」することであり、その場合、処理は終了する（４４）。
【００２４】
図２は、本願の原理による、方法１００の別の実現形態を示す。前述の実現形態では、図１の位置判定工程１６及び１８は、新たな工程５０乃至６０で置き換えられる。装置の位置を判定するために（１４）、装置は、その内蔵ＧＰＳ受信器を使用してその座標を得る（５０）。次いで、連絡先情報が前述の座標について格納されているか否かについて判定される（５２）。前述の座標について連絡先情報が格納されていない場合、モバイル装置はＧＰＳ座標をネットワーク・プロバイダに送出する（６０）。
【００２５】
モバイル装置の座標について連絡先情報が格納されている場合、ユーザは通知され（５４）、ユーザには、いずれにせよ、続行するか否かが尋ねられる（５６）。「いずれにせよ、続行しますか」という問い合わせにユーザが「いいえ」と答えた場合、処理はそこで終了する（５８）。「いずれにせよ、続行しますか」という問い合わせにユーザが「はい」と応答した場合、システムは、ネットワーク・プロバイダへのＧＰＳ座標情報の送出（６０）に進む。
【００２６】
ネットワーク・プロバイダは、位置座標を、データベースからの住所／アドレス、電話番号、及び／名前・名称と照合する（２０）。実行される残りの工程は、図１に示す実現形態を参照して説明したものと同じであり、ここでは繰り返さないものとする。
【００２７】
図３は、キーパッド又は他の入力部１０２と、ディスプレイ１０４と、プロセッサ１０６と、メモリ１０８とを有するモバイル・コンピューティング装置１００を示す。キーパッド／入力部１０２は、何れかの既知の入力装置（例えば、キーパッドや、（ＰＤＡに使用されるような）スタイラスなど）であり得る。想定される他の形態では、ディスプレイ１０４は、接触ディスプレイであり、別個のキーパッド／入力部１０２の必要性をなくし得る。プロセッサ１０６は、モバイル装置１００の標準機能全てを行うよう構成され、メモリ１０８は、ユーザの連絡先リスト、及びモバイル装置上にユーザが格納し得る何れかの他のデータの格納領域を提供する。メモリ１０８及びその機能は複数のメモリ・モジュールに拡張することが可能であるか、又は、単に、本願の原理の方法工程を行うためのプログラムを保持するよう構成することが可能であるということを当業者は認識するであろう。プロセッサ１０６は、メモリ１０８に記憶されたプログラミングとともに、本願の原理の方法の必要な機能を全て行うよう構成される。
【００２８】
本願の原理は、種々の形態のハードウェア、ソフトウェア、ファームウェア、特殊用途向プロセッサ、又はそれらの組み合わせで実現することができる。好ましくは、本願の原理は、ハードウェア及びソフトウェアの組み合わせとして実現することができる。更に、ソフトウェアは好ましくは、プログラム記憶装置上に有形に実施されたアプリケーション・プログラムとして実現される。アプリケーション・プログラムは、何れかの適切なアーキテクチャを有するマシンにアップロードし、前述のマシンによって実行することができる。好ましくは、マシンは、１つ又は複数の中央処理装置（ＣＰＵ）、ランダム・アクセス・メモリ（ＲＡＭ）、及び入出力（Ｉ／Ｏ）インタフェースなどのハードウェアを有するコンピュータ・プラットフォーム上で実現される。コンピュータ・プラットフォームは、オペレーティング・システム及びマイクロ命令コードも含む。本明細書及び特許請求の範囲記載の種々の処理及び機能は、オペレーティング・システムによって実行されるアプリケーション・プログラムの一部若しくはマイクロ命令コードの一部（又はそれらの組み合わせ）であり得る。更に、種々の他の周辺装置を、更なるデータ記憶装置や、印刷装置などのコンピュータ・プラットフォームに接続することができる。
【００２９】
添付図面に表す構成システム部分及び方法工程の一部は好ましくはソフトウェアで実現されるので、システム部分（又は処理工程）間の実際の接続は、本願の原理がプログラムされるやり方によって変わり得る。本明細書及び特許請求の範囲記載の教示があれば、当業者は、本願の原理の前述及び同様な実現形態又は構成に想到することができるであろう。  本願の原理の新たな基本機能を示し、説明し、指摘しているが、説明された方法及び例証された装置の形態及び詳細、並びにそれらの動作における種々の省略、置換及び変更を、説明された方法及び例証された装置の形態及び詳細、並びにそれらの動作の趣旨から逸脱しない限り、当業者によって行うことができるものとする。例えば、同じ結果を達成するために実質的に同じやり方で実質的に同じ機能を実行する方法工程及び／又は構成要素の組合せが全て、本願の原理の範囲内に収まるということを明示的に意図する。更に、本願の原理の何れかの開示された形態又は実現形態に関して示し、かつ／並びに説明した構造及び／若しくは構成要素及び／若しくは方法工程は、設計の一般的な選択事項としての何れかの他の開示、説明又は示唆された形態若しくは実現形態に組み入れることができるということが認識されよう。したがって、特許請求の範囲記載の範囲によって示されるようにのみ限定されることを意図している。
【図１】
2010532132.tif 000003
【図２】
2010532132.tif 000004
【図３】
2010532132.tif 000005
【手続補正書】
【提出日】平成22年1月5日(2010.1.5)
【手続補正１】
【補正対象書類名】特許請求の範囲
【補正対象項目名】全文
【補正方法】変更
【補正の内容】
【特許請求の範囲】
【請求項１】
モバイル・コンピューティング装置に連絡先情報を入力する方法であって、
モバイル装置の動作の自動詰め込みモードを選択する工程と、
前記モバイル装置の位置を判定する工程と、
前記モバイル装置の位置を、前記装置の位置に対応するデータベースからの少なくとも１つの連絡先に関する情報と照合するために、前記位置の情報をデータベースに送信する工程と、
前記モバイル装置に対する少なくとも１つの連絡先候補に関する前記情報を受信する工程と、
前記モバイル装置において受信される前記少なくとも１つの連絡先候補に関する前記情報に応じてユーザ動作を要求する工程と
を含む方法。
【請求項２】
請求項１記載の方法であって、前記モバイル装置の位置を判定する工程は、タワーを利用した三角測量の手法を使用して前記モバイル装置の位置を得る工程と、現在位置の情報に対する要求を前記モバイル装置からネットワーク・プロバイダに送出する工程とを含む方法。
【請求項３】
請求項１記載の方法であって、前記モバイル装置の位置を判定する工程は、内蔵ＧＰＳ受信器を利用する工程を含む方法。
【請求項４】
請求項１記載の方法であって、前記要求する工程は更に、
前記モバイル装置の前記判定された位置について複数の連絡先候補が存在しているか否かを判定する工程と、
２つ以上の連絡先候補が存在している場合に、複数の連絡先候補のリストをユーザに向けて表示する工程と、
前記複数の連絡先候補のうちの１つを選択するか、又は前記複数の連絡先候補のうちのいずれも選択しない旨のユーザ入力を要求する工程と
を含む方法。
【請求項５】
請求項１記載の方法であって、前記要求する工程は更に、
前記モバイル装置の前記判定された位置について複数の連絡先候補が存在しているか否かを判定する工程と、
判定された連絡先候補が複数存在していない場合、表示された連絡先を保存する旨のユーザ入力を要求する工程と
を含む方法。
【請求項６】
請求項４記載の方法であって、前記要求する工程は更に、
前記複数の連絡先候補のうちの１つをユーザが保存したいか否かを要求する工程と、
ユーザの選択に応じて、選択された連絡先をメモリに保存する工程とを含む方法。
【請求項７】
請求項６記載の方法であって、
前記保存する工程が行われた後、前記選択された連絡先についての編集オプションをユーザに提供する工程を更に含む方法。
【請求項８】
請求項４記載の方法であって、
前記複数の連絡先候補のうちの１つをユーザが保存したいか否かを要求する工程と、
前記複数の連絡先候補の表示されたリストの何れも必要でないとユーザが決定した場合、終了したいか、再試行したいか、又は手作業したいかを要求する工程とを含む方法。
【請求項９】
請求項８記載の方法であって、「再試行」をユーザが要求した場合、前記位置判定のサンプリング領域を拡大する工程を更に含む方法。
【請求項１０】
請求項３記載の方法であって、前記位置を判定する工程は更に、
前記内蔵ＧＰＳ受信器からＧＰＳ座標を得る工程と、
前記得られた座標について連絡先情報が格納されているか否かを判定する工程と、
前記得られた座標について連絡先情報が格納されていない場合に前記ＧＰＳ座標をネットワーク・プロバイダに送出する工程とを含む方法。
【請求項１１】
請求項３記載の方法であって、前記位置を判定する工程は更に、
前記内蔵ＧＰＳ受信器からＧＰＳ座標を得る工程と、
前記得られた座標について連絡先情報が格納されているか否かを判定する工程と、
前記得られた座標について格納された連絡先情報が存在している場合、ユーザに通知する工程と、
前記格納された連絡先情報に関係なくユーザは進むことを選択する場合、前記ＧＰＳ座標をネットワーク・プロバイダに送出する工程とを含む方法。
【請求項１２】
請求項１記載の方法であって、
前記連絡先情報を第２のデータベースにサーチ・クエリとして送出する工程と、
前記サーチ・クエリの結果として、前記第２のデータベースから、前記連絡先情報に対する補足として更なる情報を受け取る工程とを含む方法。
【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
モバイル・コンピューティング装置に連絡先情報を入力する方法であって、
モバイル装置の動作の自動詰め込みモードを選択する工程と、
前記モバイル装置の位置を判定する工程と、
前記モバイル装置の位置を、前記装置の位置に対応するデータベースからの少なくとも１つの連絡先に関する情報と照合するために、前記位置の情報をデータベースに送信する工程であって、前記連絡先の情報が前記位置に関係する工程と、
前記モバイル装置に対する少なくとも１つの連絡先候補に関する前記情報を受信する工程と、
前記モバイル装置において受信される前記少なくとも１つの連絡先候補に関する前記情報に応じてユーザ動作を要求する工程であって、複数の連絡先候補が前記位置について受信される工程と、
２つ以上の連絡先候補が存在している場合に、複数の連絡先候補のリストをユーザに向けて表示する工程と、
前記位置の割り当てのために、前記複数の連絡先候補のうちの１つを選択するか、又は前記複数の連絡先候補のうちのいずれも選択しない旨のユーザ入力を要求する工程であって、前記入力に応じて、選択された連絡先候補がメモリに保存され、よって、前記選択された連絡先が前記位置と関連付けられ、前記装置が前記位置を再び判定すると前記選択された連絡先が取り出される工程とを含む方法。
【請求項２】
請求項１記載の方法であって、前記モバイル装置の位置を判定する工程は、タワーを利用した三角測量の手法を使用して前記モバイル装置の位置を得る工程と、現在位置の情報に対する要求を前記モバイル装置からネットワーク・プロバイダに送出する工程とを含む方法。
【請求項３】
請求項１記載の方法であって、前記モバイル装置の位置を判定する工程は、内蔵ＧＰＳ受信器を利用する工程を含む方法。
【請求項４】
請求項１記載の方法であって、前記要求する工程は更に、
前記モバイル装置の前記判定された位置について複数の連絡先候補が存在しているか否かを判定する工程と、
判定された連絡先候補が複数存在していない場合、表示された連絡先を保存する旨のユーザ入力を要求する工程と
を含む方法。
【請求項５】
請求項３記載の方法であって、前記位置を判定する工程は更に、
前記内蔵ＧＰＳ受信器からＧＰＳ座標を得る工程と、
前記得られた座標について連絡先情報が格納されているか否かを判定する工程と、
前記得られた座標について連絡先情報が格納されていない場合に前記ＧＰＳ座標をネットワーク・プロバイダに送出する工程とを含む方法。
【請求項６】
請求項３記載の方法であって、前記位置を判定する工程は更に、
前記内蔵ＧＰＳ受信器からＧＰＳ座標を得る工程と、
前記得られた座標について連絡先情報が格納されているか否かを判定する工程と、
前記得られた座標について格納された連絡先情報が存在している場合、ユーザに通知する工程と、
前記格納された連絡先情報に関係なくユーザは進むことを選択する場合、前記ＧＰＳ座標をネットワーク・プロバイダに送出する工程とを含む方法。
【請求項７】
請求項１記載の方法であって、
前記連絡先情報を第２のデータベースにサーチ・クエリとして送出する工程と、
前記サーチ・クエリの結果として、前記第２のデータベースから、前記連絡先情報に対する補足として更なる情報を受け取る工程とを含む方法。
【国際調査報告】
2010532132.tif 000006
2010532132.tif 000007